(57)【要約】【課題】照明柱を選ばず使用できる照明柱用交通監視情報収集装置とする。【解決手段】外箱の中に自由に動け、かつ動かされた姿勢を保持できる機構を備えた支持体を設け、その支持体にカメラ若しくは超音波ホーン又はカメラ及び超音波ホーンを設置し、それらカメラのレンズやホーンの先は前記外箱に穿設してある開口部から外部にのぞけるように設置すると共に、灯具の腹側に取り付けることとなるこの外箱のために、灯具のライト光の直射を除け得る遮光板を外箱の適宜箇所に設置した。【選択図】図１
0003105574.tif 000002
【実用新案登録請求の範囲】
【請求項１】
外箱の中に自由に動け、かつ動かされた姿勢を保持できる機構を備えた支持体を設け、その支持体にカメラ若しくは超音波ホーン又はカメラ及び超音波ホーンを設置し、それらカメラのレンズやホーンの先は前記外箱に穿設してある開口部から外部にのぞけるように設置すると共に、灯具の腹側に取り付けることとなるこの外箱のために、灯具のライト光の直射を除け得る遮光板を外箱の適宜箇所に設置したことを特徴とする照明柱用交通監視情報収集装置。
【考案の詳細な説明】
【技術分野】
【０００１】  本考案は、交通流等の交通情報を得るための照明柱用交通監視情報収集装置に関するものである。
【背景技術】
【０００２】  道路には照明柱が立っている。照明柱にはハイウェー型の灯具を取り付けた長円型のテーパーポールが知られている。また、最近では、予算の削減と照度を従前程度に確保できるということで、パズーと呼ばれる灯具を取り付けた直線型のテーパーポールが投入され始めている。この他にも折れ線型、円弧型等各種仕様化された形があり、どれも道路に設置されている。【０００３】  これらの照明柱を交通監視システムに生かせれば、ただ道路を照らすだけ価値をもっと高めることができる。【０００４】  本考案は各種仕様化された照明柱に設置して道路（１車線、複数車線）を監視できる照明柱用交通監視情報収集装置を提供することを目的とする。【０００５】  照明柱にはベース板があり、基礎の上に立っている。基礎の設計はポールが転倒しない土木基礎計算の上に成り立っているだけでなく、道路に対する照明柱の灯具アームの向きや灯具取付方向（マーキングに合わせて灯具を照明柱の先端アダプターにセットして方向を合わせる）が計画されている。
【考案の開示】
【考案が解決しようとする課題】
【０００６】  道路を照らせる照明柱は絶好のロケーションにあり、交通情報の測定にも絶好のロケーションにあると言える。本考案は電源までひいてあるこの照明柱を利用して有用な交通情報を得ようとするものである。課題は各種仕様化（高さ、灯具アームの出幅等）されている照明柱を選ばず使用できる照明柱用交通監視情報収集装置とする点である。
【課題を解決するための手段】
【０００７】  本考案は、外箱の中に自由に動け、かつ動かされた姿勢を保持できる機構を備えた支持体を設け、その支持体にカメラ若しくは超音波ホーン又はカメラ及び超音波ホーンを設置し、それらカメラのレンズやホーンの先は前記外箱に穿設してある開口部から外部にのぞけるように設置することを最も主要な特徴とする。
【考案の効果】
【０００８】  本考案の照明柱用交通監視情報収集装置は、カメラ・超音波部のみを照明柱用の灯具に取り付けるため、既存の照明柱に取り付けられ、交通情報測定専用のポールを立てる必要がないので新設予算を削減できる。
夜間は照明が点くため昼夜共にカラー画像を得ることができる（通常夜間は白黒画像となっている）。
カメラや超音波を駆動させたり、これらから得た信号を処理する主装置は、本考案装置の外箱内部に収納することもでき、また、照明柱の下側に配置することもできる。下側に配置した場合、カメラと主装置は有線などで結び、主装置からカメラ等を電気的に調整したり、信号及び画像出力端子を設けることもできる。
等間隔の照明柱に本考案の装置を取り付けることにより、長距離に亘ってネットワークが構成でき、渋滞情報として活用できる。
この照明柱用交通監視情報収集装置から得られる情報を処理するシステムは既に存在（国際出願番号ＰＣＴ／ＪＰ０３／０９６１６）するので、本考案のように小型で簡単な構造の情報収集装置と成し得る。
景観を損なうことなく、且つ自然な形で測定出来、ドライバーに不快感を与えない。
【考案を実施するための最良の形態】
【０００９】  吊りかごの底に対向する一対の出隅をそれぞれフィレットさせて曲面にする。その曲面部分に衝止できるアジャストボルトを、外箱と吊りかごの間に介在させる。吊りかごに回転モーメントを付与するスプリングを外箱と吊りかごの間に関係を持たせて介在させる。吊りかごの中にカメラユニットや超音波ホーンを設置した。
【実施例１】
【００１０】  図１は、本考案装置の１実施例の斜視図であって、１は外箱、２は吊りかご、３はアジャストボルト、４はカメラ、５は超音波ホーン、６は支持アングル、７はピン、８はスプリングである。【００１１】  図２の１〜８は図１と同じである。図１において、吊りかご２はスプリング８によって回転モーメントを与えられ、ピン７を中心にしてＡ方向に回転する力が働いている。アジャストボルト３はその回転モーメントの力を止めるものであり、このボルトの先端を吊りかご２に形成させている曲面に衝止させることで、吊りかご２は図１の姿勢は保っている。吊りかご２の底には中央と両サイドに開口があり、中央の開口にはカメラ４が、両サイドの開口には超音波ホーン５がそれぞれセットされている。
図２において、吊りかご２はピン７を中心にして矢印の方向に振り子運動できるものである。図２は吊りかご２をある角度まで振り子運動させて、その姿勢をアジャストボルト３で固定した状態を図示している。アジャストボルト３は外に出ているつまみを回して、ボルトの出し入れができる。【００１２】  図３の９は灯具（パズー型）であり、１０はポール（直線型）であり、１１は本考案装置であり、１２は遮光板である。図４の１３は灯具（ハイウェー型）、１４はポール（長円型）の灯具アーム、１１は本考案装置であり、１２は遮光板である。
遮光板１２を備えた本考案装置１１は、照明柱の灯具の腹側に取り付けビス等で固定したり、本考案装置を内蔵した灯具を商品化して使用するものである。【００１３】  図５でポール（直線型）１０に灯具（パズー型）９を設置している照明柱と道路の関係を図示した。本考案装置１１の吊りかご２を所定の角度にセットすることで、ポールの仕様を選ぶことなく道路上の情報をくまなく得ることができる。
図６でポール（長円型）１４に灯具（ハイウェー型）１３を設置している照明柱と道路の関係を図示した。本考案装置１１の吊りかご２を所定の角度にセットすることで、ポールの仕様を選ぶことなく道路上の情報をくまなく得ることができる。
【図面の簡単な説明】
【００１４】
【図１】本考案装置の斜視図である。
【図２】本考案装置の斜視図である。
【図３】ポール、灯具及び本考案装置の関係を示す立面図である。
【図４】ポール、灯具及び本考案装置の関係を示す立面図である。
【図５】照明柱、道路及び本考案装置の関係を示す立面図である。
【図６】照明柱、道路及び本考案装置の関係を示す立面図である。
【符号の説明】
【００１５】  １    外箱
２    吊りかご
３    アジャストボルト
４    カメラ
５    超音波ホーン
６    支持アングル
７    ピン
８    スプリング
９    灯具
１０    ポール（直線型）
１１    本考案装置
１２    遮光板
１３    灯具（ハイウェー型）
１４    ポール（長円型）
１５    主装置
【図１】
0003105574.tif 000003
【図２】
0003105574.tif 000004
【図３】
0003105574.tif 000005
【図４】
0003105574.tif 000006
【図５】
0003105574.tif 000007
【図６】
0003105574.tif 000008